【手続補正書】
【提出日】平成26年12月5日(2014.12.5)
【手続補正１】
【補正対象書類名】特許請求の範囲
【補正対象項目名】全文
【補正方法】変更
【補正の内容】
【特許請求の範囲】
【請求項１】
生体内に埋め込まれる圧力センサであって、前記圧力センサが埋め込まれた場所に存在する圧力を検出するための圧力センサにおいて、
埋め込み可能な前記圧力センサは、可撓性の膜により形成される１つの側面を有するハウジングを含み、
前記ハウジングは、前記可撓性の膜が前記場所に存在する前記圧力にさらされたときの同可撓性の膜の屈曲を検知するために同膜と接触する力変換器を含むセンサ電子機器をさらに含み、
前記センサ電子機器は、前記可撓性の膜に結合された少なくとも１つのコンデンサをさらに含み、前記少なくとも１つのコンデンサは、同少なくとも１つのコンデンサが前記センサ電子機器によりエネルギーを付与されたときに、前記力変換器により検知される既知の力を前記膜に適用し、
前記場所の前記圧力を測定する際に、前記既知の力を使用して前記可撓性の膜に関連する剛性を較正する、圧力センサ。
【請求項２】
少なくとも１つのコンデンサが１対の蓄電板を含み、それらのうちの第１の蓄電板が前記可撓性の膜に固定され、かつ第２の蓄電板が前記ハウジング内に固定されるとともに前記第１の蓄電板と整列される請求項１に記載の圧力センサ。
【請求項３】
前記力変換器が前記ハウジング内で変位可能である、請求項１に記載の圧力センサ。
【請求項４】
前記センサ電子機器が較正力部材をさらに含み、前記力変換器が前記膜から引き離されたときに前記較正力部材が既知の較正力を前記力変換器に付与する、請求項１に記載の圧力センサ。
【請求項５】
前記圧力センサが埋め込まれる前記場所が生体の頭部であり、場所に存在する前記圧力が頭蓋内圧（ＩＣＰ）である、請求項１に記載の圧力センサ。
【請求項６】
請求項１に記載の圧力センサは、近位端および遠位端を有するカテーテルをさらに含み、前記遠位端が前記生体内の第１の場所に配置される前記力変換器、前記膜および少なくとも１つのコンデンサを含み、前記近位端が前記生体内の第２の場所に配置される送信器および受信器を含み、前記第２の場所が、前記第１の場所より前記生体の外部表面に近い、圧力センサ。
【請求項７】
前記送信器及び前記受信器が赤外線送信器及び赤外線受信器である、請求項６に記載の圧力センサ。
【請求項８】
生体内に埋め込まれる圧力センサであって、前記圧力センサが埋め込まれた場所に存在する圧力を検出するための圧力センサにおいて、
埋め込み可能な前記圧力センサは、可撓性の膜により形成される１つの側面を有するハウジングを含み、
前記ハウジングは、前記可撓性の膜が前記場所に存在する前記圧力にさらされたときの同可撓性の膜の屈曲を検知するために同膜と接触する変位可能な力変換器を含むセンサ電子機器をさらに含み、
前記センサ電子機器は、前記力変換器が前記可撓性の膜から離されたときに、既知の較正力を前記力変換器に付与する較正力部材をさらに含み、
前記力変換器が前記膜から離されたときに前記既知の較正力を付与することなく得られるゼロ圧力値とともに、前記の既知の力を使用して力変換器特性を作成し、同力変換器特性は、以降のすべての力変換器測定値を調整する、圧力センサ。
【請求項９】
前記センサ電子機器が、少なくとも１つのコンデンサであって、前記センサ電子機器によりエネルギーを付与されたときに前記力変換器により検知される既知の力を前記膜に付与する少なくとも１つのコンデンサをさらに含み、前記場所の前記圧力を測定する際に、前記既知の力を使用して前記可撓性の膜に関連する剛性を較正する、請求項８に記載の圧力センサ。
【請求項１０】
生体内の場所に存在する圧力を検出する圧力センサを前記生体内のその場所で較正するための同圧力センサの作動方法であって、前記圧力センサは、同圧力センサの外部表面の一部を形成する可撓性の膜と、前記場所に存在する前記圧力にさらされる前記可撓性の膜と接触する力変換器と、前記可撓性の膜に結合されるコンデンサと、を含み、前記方法は、
前記コンデンサに複数のエネルギー・レベルでエネルギーを付与して対応する既知の力を前記可撓性の膜に付与する工程と、
前記付与された既知の力に対応する力変換器出力を収集して可撓性の膜特性を作成する工程であって、前記可撓性の膜特性は、以降のすべての力変換器測定値を調整する膜剛性を把握するために使用される、工程と、
を含む、方法。
【請求項１１】
請求項１０に記載の方法は、前記力変換器を較正する工程をさらに含み、前記力変換器を較正する工程は、
前記力変換器を前記可撓性の膜から引き離す工程と、
前記力変換器が前記可撓性の膜との接触から引き離されている状態で力変換器出力を収集してゼロ圧力値を得る工程と、
少なくとも１つの既知の較正力を前記力変換器に付与して、それに対応する力変換器出力を収集する工程と、
前記ゼロ圧力値および前記対応する力変換器出力から力変換器特性を作成する工程であって、同力変換器特性は、以降のすべての力変換器測定値をさらに調整する、工程と、
を含む、方法。
【請求項１２】
前記コンデンサは１対の蓄電板を含み、それらのうちの第１の蓄電板が前記可撓性の膜に固定され、かつ第２の蓄電板が前記第１の蓄電板と整列して固定されている、請求項１０に記載の方法。
【請求項１３】
生体内の場所に存在する圧力を検出する圧力センサを前記生体内のその場において較正するための同圧力センサの作動方法であって、前記圧力センサは、同圧力センサの外部表面の一部を形成する可撓性の膜と、前記場所に存在する前記圧力にさらされる前記可撓性の膜と接触する力変換器と、を含み、前記方法は、
前記力変換器を前記可撓性の膜から引き離す工程と、
前記力変換器が前記可撓性の膜との接触から引き離されている状態で力変換器出力を収集してゼロ圧力値を得る工程と、
少なくとも１つの既知の較正力を前記力変換器に付与して、それに対応する力変換器出力を収集する工程と、
前記ゼロ圧力値および前記対応する力変換器出力から力変換器特性を作成する工程であって、前記力変換器特性は、以降のすべての力変換器測定値を調整する、工程と、
を含む、方法。
【請求項１４】
請求項１３に記載の方法は、膜剛性に関して前記センサを較正する工程をさらに含み、前記圧力センサは、前記可撓性の膜に結合されるコンデンサを更に含み、同コンデンサは、前記可撓性の膜に固定される第１の蓄電板と、前記第１の蓄電板に整列して固定される第２の蓄電板とを含み、前記膜剛性に関して前記センサを較正する工程が、
前記コンデンサに複数のエネルギー・レベルでエネルギーを付与して対応する既知の力を前記可撓性の膜に付与する工程と、
前記付与する既知の力に対応する力変換器出力を収集して可撓性の膜特性を作成する工程であって、前記可撓性の膜特性は、以降のすべて力変換器測定値を調整する膜剛性を把握するために使用される、工程と、
を含む、方法。
【請求項１５】
前記圧力センサは、近位端および遠位端を有するカテーテルをさらに含み、前記遠位端が前記生体内の第１の場所に配置される前記力変換器、前記膜および少なくとも１つのコンデンサを含み、前記近位端が前記生体内の第２の場所に配置される赤外線送信器および赤外線受信器を含み、前記第２の場所が、前記第１の場所より前記生体の外部表面に近い、請求項１３に記載の方法。
【請求項１６】
生体内に埋め込まれる圧力センサであって、前記圧力センサが埋め込まれた場所に存在する圧力を検出するための圧力センサにおいて、
埋め込み可能な前記圧力センサは、可撓性の膜により形成される１つの側面を有するハウジングを含み、
前記ハウジングは、前記可撓性の膜が前記場所に存在する前記圧力にさらされたときの同可撓性の膜の屈曲を検知するために前記膜と接触する変位可能な力変換器を含むセンサ電子機器をさらに含み、前記可撓性の膜は、それに結合される既知のマスを有し、
前記センサ電子機器は、既知の起振力が前記可撓性の膜に付与されたときに前記マスの変位を検出するために少なくとも１つの検出器に結合されているプロセッサをさらに含み、
前記プロセッサは、前記マスの前記変位および前記マスの変位の時間に基づいて較正力を計算して力変換器特性を作成し、前記力変換器特性は、以降のすべての力変換器測定値を調整する、圧力センサ。
【請求項１７】
生体内の場所に存在する圧力を検出する圧力センサを前記生体内のその場において較正するための同圧力センサの作動方法であって、前記圧力センサは、同圧力センサの外部表面の一部を形成する可撓性の膜と、前記場所に存在する前記圧力にさらされる前記可撓性の膜と接触する力変換器と、前記可撓性の膜に結合される既知のマスと、を含み、前記方法は、
既知の起振力を前記可撓性の膜に付与し、前記既知のマスの変位データを収集し、かつ前記既知の起振力が前記可撓性の膜に付与されたときに前記力変換器が前記可撓性の膜から引き離されることにより前記可撓性の膜を較正し、かつ更なる変位データを収集する工程と、
前記変位データから力変換器特性を作成する工程であって、前記力変換器特性は、以降のすべての力変換器測定値を調整する、工程と、
を含む、方法。
【手続補正２】
【補正対象書類名】明細書
【補正対象項目名】発明の名称
【補正方法】変更
【補正の内容】
【発明の名称】埋め込み圧力センサ及びその作動方法